(57)【要約】【課題】  目的の視標を迅速に提示できる視力表装置を提供する。【解決手段】  視力表装置１は、照明光を発するフラットパネルディスプレイ７と、検眼用の視標が形成されたフィルム部材６３と、視標表示窓３（視標提示位置）の上方に配設されたローラ部５Ａ、５Ｂ及び下方に配設されたローラ部５Ｃ、５Ｄと、ローラ部５Ｃ、５Ｄを回動させる駆動機構部５０と、この駆動機構部５０によるローラ部５Ｃ、５Ｄの回動に応じてローラ部５Ａ〜５Ｄのそれぞれ及び視標提示位置を経由する環状の軌道に沿って移動するようにフィルム部材６３を案内する環状のガイドベルト６１Ａ、６１Ｂとを備え、視標提示位置に配置されたフィルム部材６３をフラットパネルディスプレイ７により照明して視標を被検眼に提示する。【選択図】      図２
2006204514.tif 000002
【特許請求の範囲】
【請求項１】
照明光を発する光源と、
検眼用の視標が形成された視標部材と、
前記視標部材を移動させる移動手段と、
を有し、前記移動手段により前記光源の前方の視標提示位置に配置された前記視標部材を前記照明光により照明して前記視標を被検眼に提示する視力表装置であって、
前記視標部材は、前記視標が印刷又は貼付されたフィルム部材を含み、
前記移動手段は、前記視標提示位置を間に挟んで対向する位置にそれぞれ配設された一対のローラ部と、この一対のローラ部の少なくとも一方を回動させる駆動手段とを含み、
前記駆動手段による前記ローラ部の回動に応じて、前記一対のローラ部のそれぞれ及び前記視標提示位置を経由する環状の軌道に沿って移動するように、前記フィルム部材を案内する案内部材を備える、
ことを特徴とする視力表装置。
【請求項２】
前記一対のローラ部は、前記視標提示位置の上下位置又は左右位置に配設されていることを特徴とする請求項１に記載の視力表装置。
【請求項３】
前記光源は、前記環状の軌道の内側に配設されていることを特徴とする請求項１又は請求項２に記載の視力表装置。
【請求項４】
前記案内部材は、環状に形成されて前記一対のローラ部にそれぞれ巻回されたガイドベルトを含み、
前記フィルム部材は、前記ガイドベルトに取り付けられる、
ことを特徴とする請求項１ないし請求項３のいずれか一項に記載の視力表装置。
【請求項５】
一対の前記ガイドベルトを備え、
前記一対のローラ部のそれぞれには、前記回動の軸方向に間隔を介して対向配置され、前記一対のガイドベルトがそれぞれ巻回される一対のベルト受けが設けられ、
前記フィルム部材は、略長方形状に形成され、その対向する周端縁が前記一対のガイドベルトにそれぞれ取り付けられる、
ことを特徴とする請求項４に記載の視力表装置。
【請求項６】
前記一対のガイドベルトを複数備え、
前記一対のベルト受けを複数備え、
前記駆動手段は、前記複数対の前記ベルト受けを選択的に回動させる、
ことを特徴とする請求項５に記載の視力表装置。
【請求項７】
前記駆動手段は、モータと、このモータが発生した回転力を前記複数対のベルト受けの内の少なくとも一対に選択的に伝達するクラッチ機構とを含むことを特徴とする請求項６に記載の視力表装置。
【請求項８】
前記複数対のベルト受けは、それぞれ異なる回動径を有し、かつ、それぞれの回動軸が同軸となるように配設されていることを特徴とする請求項６又は請求項７に記載の視力表装置。
【請求項９】
前記複数対のガイドベルトのそれぞれには、前記フィルム部材と略同一サイズの、前記フィルム部材を取り付けない領域が設けられることを特徴とする請求項６ないし請求項８のいずれか一項に記載の視力表装置。
【請求項１０】
前記ガイドベルトには、複数の前記フィルム部材が取り付けられ、
前記駆動手段は、前記複数のフィルム部材のそれぞれが前記ローラ部の位置と前記視標提示位置との間を移動するように前記ローラ部を回動させる、
ことを特徴とする請求項４ないし請求項９のいずれか一項に記載の視力表装置。
【請求項１１】
前記案内部材は、複数のフィルム部材を連結する連結部材を含むことを特徴とする請求項１ないし請求項３のいずれか一項に記載の視力表装置。
【発明の詳細な説明】
【技術分野】
【０００１】
本発明は、検眼用の視標を被検眼に提示する視力表装置に関する。
【背景技術】
【０００２】
視標を用いた検眼測定においては、特許文献１、２に示すような視力表装置によって被検眼に視標が提示される。提示された視標の見え方について被検者が応答すると、その応答結果に基づいて被検眼の視力値が決定される。
【０００３】
特許文献１に記載の視力表装置は、収納部に収納された複数の測定用視標板を、被検者から一定距離にある所定の視標提示位置に選択的に搬送するように構成されている。測定用視標板の搬送は、収納部を前後方向に移動させる第１の搬送手段と、測定用視標板を左右方向又は上方向に移動させる第２の搬送手段により実行されるようになっている。視標提示位置に搬送された測定用視標板の後方には、視標板照明用のランプ及び凹面状の反射ミラーが設置されている。
【０００４】
特許文献２に記載の視力表装置は、視標が印刷又は貼付されたフィルム状シートを巻取り軸に巻き取っておくとともに、フィルム状シートを引き出して目的の視標を視標提示位置に配置させて検査に供するように構成されている。視標提示位置に配置された視標は、フィルム状シート後方の照明灯によって照明されて被検眼に提示される。同文献記載の視力表装置には、複数のフィルム状シートが装置の前後方向に配設されており、これら複数のシートを前後に移動させて適当なシートを選択するとともに、その選択されたシートを引き出すことによって目的の視標を提示するようになっている。
【０００５】
特許文献１の視力表装置においては、目的の視標が形成された視標板を視標提示位置に配置させるためには、視標板をまず前後方向に移動させて適当な視標板を選択するとともに、その選択された視標板を視標提示位置まで左右方向又は上方向に移動させてやる必要があるので、目的の視標が提示されるまでに比較的長時間を要する。
【０００６】
更に、同文献には、視標の切り換えに要する時間は３秒程度であるとの記載があるが、例えばランドルト環による視力測定のように複数の視標を用いる検眼測定において、視標の切り換えを何度も行う場合などには、切り換えに要する合計時間が長くなるので、切り換え時間の更なる短縮が必要と考えられる。また、複数の検査を連続して行う場合などにおいても、各検査に用いる視標を切り換えることとなるため、視標切り換えに掛かる時間が全体として長くなってしまう。
【０００７】
また、特許文献１の構成では、複数の視標板を前後方向に配置した状態で収納しているので、装置の薄型化を図ることが困難である。特に、多くの視標を使用可能にするためには多数の視標板を収納する必要があるが、装置の厚さが増大することとなる。
【０００８】
特許文献２の視力表装置についても、シートをまず前後方向に移動させた後に適当なシートを引き出してやる必要があるため、目的の視標を提示させるために比較的長い時間を要する。
【０００９】
また、複数のフィルム状シートが装置の前後方向に配設されているので、装置を薄型化するのは困難である。また、提示可能な視標の個数を増やすためには、シートの枚数を増やしてやるなどの配慮が必要となる。しかしながら、シートの枚数の増加は、装置の厚さの増加に帰結してしまう。ここで、各シートを巻き取る軸を細くすることにより装置の薄型化を図ることも考えられるが、視標の引き出し時や収納時における巻取り軸の回転数が増し、視標の引き出し等に掛かる時間が長くなることが懸念されるため、好適な対処方法ではないと思われる。
【００１０】
【特許文献１】特開平４−３００５１８号公報（請求項、明細書段落［００１１］、第１図）
【特許文献２】特開平６−２４５９０４号公報（請求項、明細書段落［０００８］〜［００１１］、第１図、第２図）
【発明の開示】
【発明が解決しようとする課題】
【００１１】
本発明は、以上のような事情に鑑みてなされたもので、目的の視標を迅速に提示することが可能な視力表装置を提供することを目的とする。
【００１２】
また、本発明は、多数の視標を提示可能としつつ装置の薄型化を図ることが可能な視力表装置を提供することを他の目的とする。
【課題を解決するための手段】
【００１３】
上記目的を達成するために、請求項１に記載の発明は、照明光を発する光源と、検眼用の視標が形成された視標部材と、前記視標部材を移動させる移動手段と、を有し、前記移動手段により前記光源の前方の視標提示位置に配置された前記視標部材を前記照明光により照明して前記視標を被検眼に提示する視力表装置であって、前記視標部材は、前記視標が印刷又は貼付されたフィルム部材を含み、前記移動手段は、前記視標提示位置を間に挟んで対向する位置にそれぞれ配設された一対のローラ部と、この一対のローラ部の少なくとも一方を回動させる駆動手段とを含み、前記駆動手段による前記ローラ部の回動に応じて、前記一対のローラ部のそれぞれ及び前記視標提示位置を経由する環状の軌道に沿って移動するように、前記フィルム部材を案内する案内部材を備える、ことを特徴とする。
【００１４】
また、請求項２に記載の発明は、請求項１に記載の視力表装置であって、前記一対のローラ部は、前記視標提示位置の上下位置又は左右位置に配設されていることを特徴とする。
【００１５】
また、請求項３に記載の発明は、請求項１又は請求項２に記載の視力表装置であって、前記光源は、前記環状の軌道の内側に配設されていることを特徴とする。
【００１６】
また、請求項４に記載の発明は、請求項１ないし請求項３のいずれか一項に記載の視力表装置であって、前記案内部材は、環状に形成されて前記一対のローラ部にそれぞれ巻回されたガイドベルトを含み、前記フィルム部材は、前記ガイドベルトに取り付けられる、ことを特徴とする。
【００１７】
また、請求項５に記載の発明は、請求項４に記載の視力表装置であって、一対の前記ガイドベルトを備え、前記一対のローラ部のそれぞれには、前記回動の軸方向に間隔を介して対向配置され、前記一対のガイドベルトがそれぞれ巻回される一対のベルト受けが設けられ、前記フィルム部材は、略長方形状に形成され、その対向する周端縁が前記一対のガイドベルトにそれぞれ取り付けられる、ことを特徴とする。
【００１８】
また、請求項６に記載の発明は、請求項５に記載の視力表装置であって、前記一対のガイドベルトを複数備え、前記一対のベルト受けを複数備え、前記駆動手段は、前記複数対の前記ベルト受けを選択的に回動させる、ことを特徴とする。
【００１９】
また、請求項７に記載の発明は、請求項６に記載の視力表装置であって、前記駆動手段は、モータと、このモータが発生した回転力を前記複数対のベルト受けの内の少なくとも一対に選択的に伝達するクラッチ機構とを含むことを特徴とする。
【００２０】
また、請求項８に記載の発明は、請求項６又は請求項７に記載の視力表装置であって、前記複数対のベルト受けは、それぞれ異なる回動径を有し、かつ、それぞれの回動軸が同軸となるように配設されていることを特徴とする。
【００２１】
また、請求項９に記載の発明は、請求項６ないし請求項８のいずれか一項に記載の視力表装置であって、前記複数対のガイドベルトのそれぞれには、前記フィルム部材と略同一サイズの、前記フィルム部材を取り付けない領域が設けられることを特徴とする。
【００２２】
また、請求項１０に記載の発明は、請求項４ないし請求項９のいずれか一項に記載の視力表装置であって、前記ガイドベルトには、複数の前記フィルム部材が取り付けられ、前記駆動手段は、前記複数のフィルム部材のそれぞれが前記ローラ部の位置と前記視標提示位置との間を移動するように前記ローラ部を回動させる、ことを特徴とする。
【００２３】
また、請求項１１に記載の発明は、請求項１ないし請求項３のいずれか一項に記載の視力表装置であって、前記案内部材は、複数のフィルム部材を連結する連結部材を含むことを特徴とする。
【発明の効果】
【００２４】
本発明に係る視力表装置によれば、視標が形成されたフィルム部材は、一対のローラ部及び視標表示位置を経由する環状の軌道上を移動するように案内されて視標を提示するようになっているので、フィルム部材を視標表示位置に迅速に配置でき、目的の視標を迅速に提示することが可能となる。
【００２５】
特に、請求項７に記載の本発明の視力表装置によれば、モータの回転力が伝達されるベルト受けをクラッチ機構によって迅速に切り換えることができるので、視標表示位置に配置されるフィルム部材を迅速に切り換えることが可能である。それにより、目的の視標を迅速に提示することができる。
【００２６】
また、請求項８に記載の本発明の視力表装置は、回動径の異なる複数のベルト受けを同軸に配設し、各ベルト受けによって異なるガイドベルトを回動させるように構成されている。したがって、異なる視標が形成されたフィルム部材を各ガイドベルトに取り付けることで多数の視標を提示することができる。更に、各ベルト受けを同軸に配設することで装置の薄型化が図られている。また、請求項１０に記載のように、各ガイドベルトに複数のフィルム部材を設けることで、より多数の視標を提示することが可能となる。
【発明を実施するための最良の形態】
【００２７】
本発明に係る視力表装置の好適な実施形態の一例について、図面を参照しながら詳細に説明する。
【００２８】
図１、図２、図３は、本発明に係る視力表装置の一例の全体構成の概略を表す。図１は視力表装置の外観構成の概略を表す装置前方からの斜視図であり、図２は視力表装置の内部構成の概略を表す装置前方から透視図であり、図３は視力表装置の内部構成の概略を表す装置側方からの断面図である。
【００２９】
本実施形態の視力表装置１は、装置筐体２と、その前面２Ａ中央に開口された視標表示窓３と、リモートコントローラ（後述）からの操作信号（例えば赤外線信号）を受信する受信部４とを備えている。
【００３０】
また、視力表装置１の装置筐体２内には、視標表示窓３（視標提示位置）の上方及び下方にそれぞれ配設されたローラ部５Ａ〜５Ｄと、検眼用の視標が設けられた視標フィルム部６と、視標表示窓３の後方位置に配設された液晶表示器７とが設けられている。装置筐体２の例えば背面２Ｂ内側には、装置各部の動作を制御するＣＰＵや、各種コンピュータプログラムや制御データ等を記憶したＲＯＭ（後述）が配設されている。
【００３１】
視標表示窓３の上方に配設されたローラ部５Ａ、５Ｂは、回動軸５Ｅ周りに自由に回動可能に設置されている。また、視標表示窓３の下方に配設されたローラ部５Ｃ、５Ｄは、駆動機構部５０内のステッピングモータ（後述）等のモータによって回動される回動軸５Ｆにしたがって回動される。
【００３２】
上方のローラ部５Ａ、５Ｂ及び下方のローラ部５Ｃ、５Ｄは、本発明の「一対のローラ部」を構成する。なお、本実施形態においては、視標提示位置の上下に２つずつのローラ部が設けられているが、上下に１つずつのローラ部からなる構成としてもよいし、上下にそれぞれ任意個数のローラ部を設ける構成としてもよい。
【００３３】
視標フィルム部６は、環状に形成されており、上方のローラ部５Ａ、５Ｂと下方のローラ部５Ｃ、５Ｄとにそれぞれ巻回されている。視標フィルム部６は、駆動機構部５０により回転されるローラ部５Ｃ、５Ｄによって回転駆動され、回動自在なローラ部５Ａ、５Ｂとの間にて上下方向に回転移動される。図３に示すように、視標フィルム部６は、装置前面２Ａ側と背面２Ｂ側を通過するように移動される。すなわち、視標フィルム部６は、駆動機構部５０によるローラ部５Ｃ、５Ｄの回動に応じて、上下一対のローラ部５Ａ、５Ｂ及び５Ｃ、５Ｄのそれぞれと、装置前面２Ａの視標表示窓３（視標提示位置）とを経由する環状の軌道に沿って移動されるようになっている。
【００３４】
視標フィルム部６は、図２に示すように複数（例えば８つ）設けられている。各ローラ部５Ａ〜５Ｄには、各視標フィルム部６が個別に巻回される複数（例えば８つ）のベルト受けが設けられている。上方のローラ部５Ａ、５Ｂにおける各ベルト受けは、回動軸５Ｅ周りに回動するように同軸に配設されている。また、下方のローラ部５Ｃ、５Ｄにおける各ベルト受けは、回動軸５Ｆ周りに回動するように同軸に配設されている。
【００３５】
更に、各ローラ部５Ａ〜５Ｄにおいて、複数個のベルト受けは、装置外側から内側に向かって徐々に径（回動径）が小さくなるように構成されている。それにより、複数の視標フィルム部６が互いに接触しないようになっている。
【００３６】
液晶表示器７は、図２、３に示すように、視標表示窓３の後方位置に、かつ、環状に形成された視標フィルム部６の内側の位置に、その表示画面を装置前面２Ａ側に向けて取り付けられている。なお、視標フィルム部６の後方の筐体２の背面２Ｂ内壁に液晶表示器７を取り付けることもできるが、視標フィルム部６の内側に配設する方が装置を薄型化できるので好ましい。また、視標フィルム部６の内側に配置することにより、視標提示位置に配置された視標をより明瞭に提示することができる。
【００３７】
液晶表示器７は、図示は省略するが、液晶、ガラス基板、透明電極等から構成される液晶パネル、この液晶パネルを後方から照明するバックライト照明光源、液晶駆動基板などを含んで構成されている。液晶表示器７としては、例えば、白色の照明光を出力できるカラー表示可能なものが使用される。なお、この液晶表示器７は、本発明の「光源」の一例である。
【００３８】
本発明の「光源」としては、液晶表示器以外にも、プラズマディスプレイパネル（ＰＤＰ）、有機ＥＬ（Ｅｌｅｃｔｒｏ  Ｌｕｍｉｎｅｓｃｅｎｃｅ）、無機ＥＬ、表面電界ディスプレイ（ＳＥＤ）等の電界放出ディスプレイ（ＦＥＤ）、ＬＥＤ（Ｌｉｇｈｔ  Ｅｍｉｔｔｉｎｇ  Ｄｉｏｄｅ）、蛍光表示管（ＶＦＤ）などのフラットパネルディスプレイや、従来のようなランプを用いることができる。なお、「光源」として従来のようなランプを適用することもできるが、装置の薄型化を図るためには、平板状のフラットパネルディスプレイを使用することが望ましい。
【００３９】
駆動機構部５０には、ローラ部５Ｃ、５Ｄの複数のベルト受けの内の左右一対に、ステッピングモータの回転力を選択的に伝達するクラッチ機構が設けられている（後述）。このクラッチ機構により、複数枚の視標フィルム部６が選択的に上下方向に回転移動される。なお、この駆動機構部５０は、本発明にいう「駆動手段」の一例を構成するものである。
【００４０】
本実施形態においては、視標提示位置の上下にローラ部５Ａ〜５Ｄを配設し、それらの回動軸５Ｅ、５Ｆが左右方向に沿うように配置しているが、本発明に係る視力表装置においては、これに限定されるものではない。例えば、ローラ部を視標提示位置の左右にそれぞれ配設し、それらの回動軸が上下方向に沿うように配置して、視標フィルム部を左右方向に回転移動させるようにしてもよい。また、視標提示位置の上下及び左右の双方にローラ部を設け、上下方向に回転移動される視標フィルム部と左右方向に回転移動される視標フィルム部とが視標提示位置で重なり合うように構成することにより、複数の視標を同時に提示できるようにしてもよい。
【００４１】
図４、図５は、複数個設けられた視標フィルム部６のそれぞれの構成の一例を表している。視標フィルム部６は、左右一対のガイドベルト６１Ａ、６１Ｂと、検眼用の視標が印刷、貼付等された例えば白色のフィルムからなるフィルム部材６３とを含んで構成される。ガイドベルト６１Ａ、６１Ｂは、本発明の「案内部材」の一例を構成する。また、フィルム部材６３は、本発明の「視標部材」に相当する。
【００４２】
フィルム部材６３は、長方形状に形成され、透光性を有する材料によって形成されている。フィルム部材６３の形状は、長方形状に限定されるものではないが、ガイドベルト６１Ａ、６１Ｂに対する取り付けを考慮すると、ほぼ長方形状に形成されることが望ましい。換言すると、本発明におけるフィルム部材６３としては、その形状が略長方形状に形成されており、その一対の対向する周端縁（つまり、この略長方形状において互いに平行に形成された対向する２辺）がガイドベルト６１Ａ、６１Ｂに取り付けられるように構成されることが望ましい。なお、フィルム部材６３の形状としては、長方形の角に丸みを持たせた形状などを採用することも可能である。
【００４３】
左右のガイドベルト６１Ａ、６１Ｂが設置される間隔は、ローラ部５Ａ〜５Ｄの各ベルト受けの間隔に応じて異なり、フィルム部材６３の幅も各ベルト受けの間隔に応じて設計されている。すなわち、ローラ部５Ａ〜５Ｄの複数のベルト受けのうち、より外側のベルト受けに巻回されるガイドベルト６１Ａ、６１Ｂはより広い間隔を介して配置され、そのガイドベルト６１Ａ、６１Ｂに取り付けられるフィルム部材６３はより広い幅に形成されている。一方、ローラ部５Ａ〜５Ｄの複数のベルト受けのうち、内側のベルト受けに巻回されるガイドベルト６１Ａ、６１Ｂはより狭い間隔を介して配置され、そのガイドベルト６１Ａ、６１Ｂに取り付けられるフィルム部材６３はより狭い幅に形成されている。
【００４４】
ガイドベルト６１Ａ、６１Ｂの内側（対向する側）には、略Ｔ字型に突出したフィルムカギ６２が複数箇所に形成されている。また、フィルム部材６３の左右端部の近傍には、所定の間隔で孔部６３ａが複数形成されている。フィルム部材６３は、フィルムカギ６２を孔部６３ａに挿入して係合させることにより各ガイドベルト６１Ａ、６１Ｂに取り付けられる。
【００４５】
ガイドベルト６１Ａ、６１Ｂに取り付けるフィルム部材６３の枚数は任意である。ただし、一対のガイドベルト６１Ａ、６１Ｂに複数のフィルム部材６３を取り付ける場合には、それらが重なり合わないように取り付ける。
【００４６】
また、各視標フィルム部６には、液晶表示器７の画面程度の大きさ（フィルム部材程度の大きさ）の、フィルム部材６３を取り付けない領域を設けることが必要である。複数の視標フィルム部６のうちの或る視標フィルム部６の視標を提示するとき、その他の視標フィルム部６については当該領域が視標提示位置に配置される。それにより、その他の視標フィルム部６の視標と目的の視標とが重なり合って提示される事態を防止するようになっている。
【００４７】
例えば、ガイドベルト６１Ａ、６１Ｂに２つのフィルム部材６３を取り付ける場合、一方が上方のローラ部５Ａ、５Ｂの位置（上方収納位置）に配置されるときに、他方が下方のローラ部５Ｃ、５Ｄの位置（下方収納位置）に配置されるように取り付ける。それにより、ガイドベルト６１Ａ、６１Ｂの回動方向を調整することで、上方収納位置及び下方収納位置のフィルム部材６３を選択的に視標提示位置に移動させることが可能である。このときのフィルム部材６３の移動距離は従来よりも短くなる。なお、他の視標フィルム部６の視標を提示するときには、これら２つのフィルム部材６３の間の領域（視標フィルム無しの領域）が視標提示位置に移動される。
【００４８】
ガイドベルト６１Ａの一端には略Ｔ字型のベルトカギ６１ａが形成され、他端には孔部６１ｃが形成されている。ガイドベルト６１Ａは、ベルトカギ６１ａを孔部６１ｃに挿入することにより一端と他端とが継合されて環状に形成される。同様に、ガイドベルト６１Ｂの一端には略Ｔ字型のベルトカギ６１ｂが形成され、その他端には孔部６１ｄが形成されており、ベルトカギ６１ａを孔部６１ｃに挿入することでその一端と他端とが継合されて環状に形成される。
【００４９】
フィルム部材６３は、このようなガイドベルト６１Ａ、６１Ｂ（案内部材）により、駆動機構部５０の回動力に応じて、上下のローラ部５Ａ、５Ｂ及び５Ｃ、５Ｄのそれぞれと、視標表示窓３（視標提示位置）とを経由する環状の軌道に沿って案内される。すなわち、本実施形態においては、一対のガイドベルト６１Ａ、６１Ｂが、フィルム部材６３が移動する環状の軌道を形成している。
【００５０】
ここで、フィルム部材６３に設けられる視標（チャート）は、例えば図７や図８に示す複数の視標のうちの少なくともいずれかを含んでいる。図７には、所定値（例えば０．５）以上の視力値の視力テストチャート及びランドルトテストチャート、偏光レッドグリーン（Ｒ＆Ｄ）テストチャート、精密立体視テストチャート、立体視テストチャート、十字斜位テストチャート、不等像視テストチャート、回旋斜位テストチャートが記載されている。また、図８には、所定値（例えば０．４）以下の視力値の視力表チャート及びランドルトテストチャート、乱視テストチャート（１５°、１０°）、クロスシリンダテストチャート、レッドグリーン（Ｒ＆Ｄ）テストチャート、両眼バランステストチャート、ワース４点テストチャート、融像幅テストチャート、垂直融像幅テストチャート、水平融像幅テストチャートが記載されている。また、図示は省略するが、色盲視力表やコントラスト視力表などを提示させることもできる。なお、以上に列挙したもの以外の任意の視標をフィルム部材６３に適宜設けて検眼測定に適用することが可能であることは言うまでもない。
【００５１】
図６は、視力表装置１の制御系の構成の一例を表す。視力表装置１の各部の動作は、ＣＰＵ７０によって制御される。このＣＰＵ７０は、ＲＯＭ８０に記憶された制御プログラムや制御用のデータに基づいて装置各部の制御処理、特に、液晶表示器７による表示処理の制御や、駆動機構部５０のステッピングモータ５１及びクラッチ機構５２の動作制御などを実行する。
【００５２】
リモートコントローラ８は、被検眼に提示させる視標の選択入力操作や、視力表装置１の電源のＯＮ／ＯＦＦの操作や、バックライトの点灯／消灯の操作などを遠隔から行うためのボタンやスイッチ等を備えている。リモートコントローラ８は、オペレータによる操作を受け付けると、その操作内容に応じた操作信号を送信する。その操作信号を受信部４が受信すると、視力表装置１は、その操作信号に応じた動作を実行する。
【００５３】
なお、このような無線遠隔操作可能なリモートコントローラ８以外にも、有線遠隔操作可能に構成されたコントローラや、視力表装置１の筐体２上に形成されたコントローラ（操作パネル）などを用いることができる。また、このようなコントローラは、視力表装置１の操作専用の機器には限定されず、他の眼科装置の操作も行えるコントローラ、あるいはコンピュータ装置のキーボードやマウス等の入力デバイスなど、他の用途にも適用される機器であってもよい。
【００５４】
駆動機構部５０は、視標が設けられたフィルム部材６３（視標部材）を移動させて視標表示窓３の位置（視標提示位置）に配置させる本発明の「移動手段」の一例であり、ステッピングモータ５１とクラッチ機構５２とを含んで構成されている。
【００５５】
クラッチ機構５２は、ステッピングモータ５１が発生した回転力を、ローラ部５Ｃ、５Ｄの複数のベルト受けの内のいずれかに対して選択的に伝達するように動作し、公知の任意のクラッチ機構によって構成される。
【００５６】
ＲＯＭ８０には、複数の視標フィルム部６の各フィルム部材６３に形成された視標を特定する情報が記憶されている。この情報は、例えば、視標の名称（図７、８参照）等の視標を特定する視標特定情報を、その視標が形成されたフィルム部材６３を特定するフィルム特定情報に関連付ける関連テーブルにより構成される。
【００５７】
この関連テーブルの一例を説明する。ここで、視標フィルム部６は８つあるとし（図２参照）、各視標フィルム部６にそれぞれ２枚のフィルム部材６３が取り付けられているとする。更に、各視標フィルム部６の２枚のフィルム部材６３の１枚は上方のローラ部５Ａ、５Ｂの位置に収納され、他の１枚は下方のローラ部５Ｃ、５Ｄの位置に収納されるものとする。例えば視標「クロスシリンダテストチャート」が、上方のローラ部５Ａ、５Ｂの外側から３番目の位置に収納されているとする。その場合、「クロスシリンダテストチャート」のフィルム特定情報を「上３」と定義し、視標特定情報「クロスシリンダテストチャート」とフィルム特定情報「上３」とを関連付ける。このように、各フィルム部材６３の視標の視標特定情報と、そのフィルム特定情報「上１」〜「上８」、「下１」〜「下８」とを関連付けることにより、上記の関連テーブルが作成される。
【００５８】
なお、視標フィルム部６のフィルム部材６３を取り替えて別の視標と交換する場合には、リモートコントローラ８や、視力表装置１に接続されたコンピュータ装置等によって、関連テーブルの内容を書き換えることができる。
【００５９】
以上のような構成を有する視力表装置１によれば、次のような態様の視標提示処理を行うことができる。
【００６０】
オペレータがリモートコントローラ８を操作して視標を選択すると、ＣＰＵ７０は、上記の関連テーブルを参照して、どの視標フィルム部６のどのフィルム部材６３に目的の視標があるかを判断する。
【００６１】
次に、ＣＰＵ７０は、駆動機構部５０のクラッチ機構５２を制御して、目的の視標のフィルム部材６３が取り付けられたガイドベルト６１Ａ、６１Ｂを回転駆動するベルト受けを特定する。更に、その特定されたベルト受けにステッピングモータ５１の回転力を伝達させるようにクラッチ機構５２を制御する。このとき、他の視標フィルム部６の視標が視標提示位置に配置されている場合、その視標フィルム部６に対応するベルト受けを駆動してその視標を退避させる。
【００６２】
ステッピングモータ５１を所定の回転量だけ回転させて上記特定されたベルト受けを回転させることにより、目的の視標が形成されたフィルム部材６３を視標表示窓３の位置（視標提示位置）に配置させる。ここで、所定の回転量は、目的の視標の収納位置（ベルト受けの位置）と視標提示位置との距離に基づいてあらかじめ設定されている。
【００６３】
更に、ＣＰＵ７０は、液晶表示器７を点灯させて、視標提示位置に配置された視標を後方から照明する。それにより、視標提示位置の正面に所定距離（例えば５メートル）を介して配置された被検者の被検眼に目的の視標が提示される。
【００６４】
以上のような本実施形態の視力表装置１によれば、視標が形成されたフィルム部材６３を上下のローラ部５Ａ〜５Ｄ及び視標表示窓３を経由する環状の軌道に沿って移動させるように構成されているので、フィルム部材６３を視標表示窓３に迅速に配置でき、目的の視標を迅速に提示することが可能である。
【００６５】
また、前述の特許文献１、２の視力表装置においては、複数の視標板やフィルム状シートを移動させて目的の視標板等を選択する動作を行う必要があるが、本実施形態では、クラッチ機構５２により目的の視標フィルム部６をすばやく選択することができる。それにより、複数の視標フィルム部６を設けて多数、多種の視標を提示可能に構成しつつ、目的の視標を迅速に提示することが可能である。
【００６６】
また、本実施形態によれば、異なる視標が形成されたフィルム部材６３を保持する複数の視標フィルム部６を選択的に回動させることにより、目的の視標を提示するように構成されているので、多数、多種の視標を提示することができる。更に、複数の視標フィルム部６を回動させる複数のベルト受けが同軸状に配置されているので、多数、多種の視標を提示可能としつつも装置を薄型化することができる。
【００６７】
また、前述の特許文献２に記載の従来の視力表装置のように、巻取り軸に巻取られたフィルム状シートを引き出して視標を提示する構成においては、フィルム状シートに巻取り癖が付いて丸まってしまい、歪んだ形状の視標が提示されるおそれがある。一方、本実施形態のようにフィルム部材が環状の軌道上を移動する構成とすれば、フィルム部材の形状の歪みが無くなる又は軽減されるので、より正確な形状の視標を提示できるという効果も期待される。
【００６８】
以上において詳述した構成は、本発明を実施するための一例に過ぎないものであり、本発明の要旨の範囲内における任意の変形を施すことが可能である。
【００６９】
例えば、リモートコントローラ８により視標が選択される度毎に全ての視標フィルム部６のフィルム部材６３をローラ部５Ａ〜５Ｄの位置（収納位置）に一旦退避させ、それから目的の視標を視標提示位置に移動させるようにしてもよい。
【００７０】
上記実施形態においては、下方のローラ部５Ｃ、５Ｄが駆動機構部５０により駆動されるように構成されているが、上方のローラ部５Ａ、５Ｂを駆動するように構成してもよい。
【００７１】
また、上方のローラ部５Ａ、５Ｂを駆動する駆動機構部と、下方のローラ部５Ｃ、５Ｄを駆動する駆動機構部とを設け、それぞれ個別に動作制御するように構成することもできる。その場合、例えば、現に提示されている視標を上方のローラ部５Ａ、５Ｂにより収納位置に退避させると同時に、次に提示する視標を下方のローラ部５Ｃ、５Ｄにより収納位置から視標提示位置に移動させるように制御することができる。それにより、提示する視標の切り換えをより迅速に行うことが可能となる。
【００７２】
上記実施形態においては、ローラ部５Ｃ、５Ｄの複数対のベルト受けの内の一対のみを選択的に回転させるようにクラッチ機構５２は作用するが、２対以上のベルト受けを同時に回転させるクラッチ機構を適用することもできる。
【００７３】
上記実施形態においては、本発明の「案内部材」として、環状に形成されたガイドベルトが適用されているが、これに限定されるものではない。例えば、異なる視標が形成された複数のフィルム部材を粘着テープで一列に連結するとともに、その連結された複数のフィルム部材の両端を連結して環状に形成する。そして、この環状に連結された複数のフィルム部材を上下のローラ部に巻回し、各フィルム部材が視標提示位置を経由するように構成する。このような構成によっても、上記実施形態と同様の作用効果が奏される。ここで、当該粘着テープは、本発明の「連結部材」を構成する。連結部材としては、この粘着テープ以外にも、ステイプルやチェーンや接着剤などのフィルム部材を連結可能な任意の部材を適用できる。
【図面の簡単な説明】
【００７４】
【図１】本発明の実施形態に係る視力表装置の外観構成の一例を表す装置前方からの概略斜視図である。
【図２】本発明の実施形態に係る視力表装置の内部構成の一例を表す装置前方からの概略透視図である。
【図３】本発明の実施形態に係る視力表装置の内部構成の一例を表す装置側面からの概略断面図である。
【図４】本発明の実施形態に係る視力表装置の視標フィルム部の構成の一例を表す概略図である。
【図５】本発明の実施形態に係る視力表装置のフィルム部材の構成の一例を表す概略図である。
【図６】本発明の実施形態に係る視力表装置の制御系の構成の一例を表すブロック図である。
【図７】本発明の実施形態に係る視力表装置のフィルム部材に設けられる視標の一例を表す概略図である。
【図８】本発明の実施形態に係る視力表装置のフィルム部材に設けられる視標の一例を表す概略図である。
【符号の説明】
【００７５】
１  視力表装置
２  装置筐体
３  視標表示窓
４  受信部
５Ａ〜５Ｄ  ローラ部
５Ｅ、５Ｆ  回動軸
６  視標フィルム部
６１Ａ、６１Ｂ  ガイドベルト
６１ａ、６１ｂ  ベルトカギ
６１ｃ、６１ｄ  孔部
６２  フィルムカギ
６３  フィルム部材
６３ａ  孔部
７  液晶表示器
８  リモートコントローラ
５０  駆動機構部
５１  ステッピングモータ
５２  クラッチ機構
７０  ＣＰＵ
８０  ＲＯＭ
【図１】
2006204514.tif 000003
【図２】
2006204514.tif 000004
【図３】
2006204514.tif 000005
【図４】
2006204514.tif 000006
【図５】
2006204514.tif 000007
【図６】
2006204514.tif 000008
【図７】
2006204514.tif 000009
【図８】
2006204514.tif 000010